(57)【要約】ディジタルテレビジョン受信機（１８）によって遂行される処理方法において、輸送ストリーム（８４）が受信される。選択されたオーディオ／ビデオ番組に関連する輸送ストリーム（８４）のデータパケットが選択され、オーディオ／ビデオコンポーネント（９２）と、少なくとも１つの補助的コンポーネント（９４，９６，９８）とに選別される（９０）。コンポーネント識別子（１０２，１０４，１０６，１０８）が、オーディオ／ビデオコンポーネント）９２）と、少なくとも１つの補助的コンポーネント（９４，９６，９８）とに割り当てられる（１００）。コンポーネント識別子(１０２，１０４，１０６，１０８)は関連する使用者に表示される（１２４）。コンポーネントの１つ又はそれ以上の選択が受信されて（１２６）、番組の遂行に含められる。選択されたコンポーネントが遂行される（１５４，１５６，１５８）。
2006503468.tif 000002
【特許請求の範囲】
【請求項１】
選択されたディジタルテレビジョンプログラムのパケットを、オーディオ／ビデオコンポーネントと、少なくとも１つの補助的コンポーネントとに選別するための選別手段と、
コンポーネント識別子を、前記オーディオ／ビデオコンポーネントと、少なくとも１つの前記補助的コンポーネントとに割り当てるための割当手段と、
前記コンポーネント識別子を関連する使用者に表示するための表示手段と、
１つ又はそれ以上のコンポーネントの選択を受信して番組の遂行に含めるための使用者入力手段と、
選択されたコンポーネントを用いて、選択された操作を実行するための実行手段と、
を有することを特徴とするディジタルテレビジョン受信装置。
【請求項２】
ディジタルデータパケットの輸送ストリームを抽出するよう、ディジタルテレビジョン送信の選択された周波数チャネルを復調するための周波数復調手段と、
前記選択されたディジタルテレビジョンプログラムに関連するディジタルデータパケットを選択するためのプログラム選択手段と、
をさらに有することを特徴とする請求項１に記載のディジタルテレビジョン受信装置。
【請求項３】
前記割当手段は、復調された周波数チャネルから電子番組表を受信するための電子番組表インターフェイス手段を有し、該電子番組表は、前記オーディオ／ビデオコンポーネントと、少なくとも１つの前記補助的コンポーネントとに対応するコンポーネント識別子を有することを特徴とする請求項２に記載のディジタルテレビジョン受信装置。
【請求項４】
前記ディジタルデータパケットの輸送ストリームは、マルチメディア・ホーム・プラットフォーム（ＭＨＰ）規格に配置されていることを特徴とする請求項２及び３のいずれか１項に記載のディジタルテレビジョン受信装置。
【請求項５】
前記実行手段は、前記選択されたコンポーネントを選択的に記録するための記録手段を有することを特徴とする請求項１乃至４のうちいずれか１項に記載のディジタルテレビジョン受信装置。
【請求項６】
初期設定選択又初期設定非選択の一方を各補助的コンポーネントに割り当てるための使用者初期設定パラメーターを有する使用者初期設定データベースをさらに有することを特徴とする請求項１乃至５のうちいずれか１項に記載のディジタルテレビジョン受信装置。
【請求項７】
前記実行手段は、
ストリーミングオーディオ／ビデオをフォーマットするオーディオ／ビデオプロセッサと、
前記選択された補助的コンポーネントを実行するための、マイクロプロセッサに基づく計算手段と、
を有することを特徴とする請求項１乃至６のうちいずれか１項に記載のディジタルテレビジョン受信装置。
【請求項８】
前記マイクロプロセッサに基づく計算手段は、Ｊａｖａ（登録商標）プロセッサを有することを特徴とする請求項７に記載のディジタルテレビジョン受信装置。
【請求項９】
選択されたディジタルテレビジョンプログラムのパケットを、オーディオ／ビデオコンポーネントと、少なくとも１つの補助的コンポーネントとに選別するステップと、
前記オーディオ／ビデオコンポーネントと、少なくとも１つの前記補助的コンポーネントとにコンポーネント識別子を割り当てるステップと、
前記コンポーネント識別子を関連する使用者に表示するステップと、
番組の遂行に含めるために、コンポーネントの１つ又はそれ以上の選択を受信するステップと、
前記選択されたコンポーネントを用いて、選択された操作を実行するステップと、
を有するディジタルテレビジョンプログラム処理方法。
【請求項１０】
輸送ストリームを受信するステップと、
前記選択されたディジタルテレビジョンプログラムに関連する前記輸送ストリームのデータパケットを選択するステップと、
をさらに有することを特徴とする請求項９に記載のディジタルテレビジョンプログラム処理方法。
【請求項１１】
前記輸送ストリームを受信するステップは、
ディジタルテレビジョン放送を受信するステップと、
前記輸送ストリームを有する前記放送の周波数チャネルを復調するステップと、
を有することを特徴とする請求項１１に記載のディジタルテレビジョンプログラム処理方法。
【請求項１２】
前記コンポーネント識別子を割り当てるステップは、
前記ディジタルテレビジョン放送に含まれる電子番組表から前記コンポーネント識別子を読み出すステップを有することを特徴とする請求項１１に記載のディジタルテレビジョンプログラム処理方法。
【請求項１３】
前記輸送ストリームを受信するステップは、
記録媒体から前記輸送ストリームを受信するステップを有することを特徴とする上記請求項１０に記載のディジタルテレビジョンプログラム処理方法。
【請求項１４】
前記コンポーネント識別子を割り当てるステップは、
前記コンポーネントの見出しパケットから前記コンポーネント識別子を読み取るステップを有することを特徴とする請求項９乃至１３のうちいずれか１項に記載のディジタルテレビジョンプログラム処理方法。
【請求項１５】
前記選択されたコンポーネントを用いて選択された操作を実行するステップは、
前記ディジタルテレビジョンプログラムを遂行するステップを有し、
該遂行するステップは、選択されたコンポーネントを遂行するが、前記ディジタルテレビジョンプログラムの他のコンポーネントの遂行を省略することを特徴とする請求項９乃至１４のうちいずれか１項に記載のディジタルテレビジョンプログラム処理方法。
【請求項１６】
前記遂行するステップ中に中断を受信するステップと、
前記コンポーネントの選択への１つ又はそれ以上の変更を受信するステップと、
更新されたコンポーネントの選択を遂行することによって前記遂行するステップを継続するするステップと、
をさらに有することを特徴とするディジタルテレビジョンプログラム処理方法。
【請求項１７】
前記選択されたコンポーネントを用いて選択された操作を実行するステップは、
前記ディジタルテレビジョンプログラムを非揮発性媒体に記録するステップを有し、該記録するステップは、前記選択されたコンポーネントを記録するが、前記ディジタルテレビジョンプログラムの他のコンポーネントの記録を省略することを特徴とする請求項１乃至１６のうちいずれか１項に記載のディジタルテレビジョンプログラム処理方法。
【請求項１８】
前記選択されたコンポーネントのパケットを多重化するステップをさらに有し、前記多重化されたパケットストリームは前記記憶するステップにおいて記録されることを特徴とする請求項１７に記載のディジタルテレビジョンプログラム処理方法。
【請求項１９】
前記ディジタルテレビジョンプログラムは非揮発性保存媒体上に存し、
前記選択されたコンポーネントを用いて選択された操作を実行するステップは、
前記選択されたコンポーネントを前記非揮発性保存媒体から削除するが、前記非揮発性保存媒体上のディジタルテレビジョンプログラムの他のコンポーネントは保持するステップを含むことを特徴とする請求項９乃至１８のうちいずれか１項に記載のディジタルテレビジョンプログラム処理方法。
【請求項２０】
前記非揮発性保存媒体上に存するディジタルテレビジョンプログラムはパケット多重フォーマットで保存されており、
前記削除するステップは、前記ディジタルテレビジョンプログラムの他のコンポーネントに対応するパケットに影響を与えることなく、前記選択されたコンポーネントに対応するパケットを削除するステップを含むことを特徴とする請求項１９に記載のディジタルテレビジョンプログラム処理方法。
【請求項２１】
前記ディジタルテレビジョンプログラムは多重化されたプログラムであり、該プログラムにおいて、前記コンポーネントに対応するパケットは多重化されており、さらに、前記選別するステップは、前記パケットを、前記オーディオ／ビデオコンポーネントと、１つ又はそれ以上の前記補助的コンポーネントとに逆多重化するステップを含むことを特徴とする請求項９乃至２０のうちいずれか１項に記載のディジタルテレビジョンプログラム処理方法。
【請求項２２】
前記選別するステップの前に、周波数変調されたテレビジョン放送から前記ディジタルテレビジョンプログラムを受信するステップを含むことを特徴とする請求項９乃至２１のうちいずれか１項に記載のディジタルテレビジョンプログラム処理方法。
【請求項２３】
前記受信するステップは、ディジタルテレビジョンプログラムを復元するために、前記周波数変調されたテレビジョン放送を周波数復調するステップを含むことを特徴とする請求項２２に記載のディジタルテレビジョンプログラム処理方法。
【発明の詳細な説明】
【技術分野】
【０００１】
本発明は通信及び娯楽技術に関し、より詳細には、対話式放送テレビジョンに関し、特にこれらに関連して以下に記載される。しかしながら、本発明は事前記録オーディオ／ビデオプレーヤー、対話式ケーブルテレビジョン及びそれらの類似物にも適用可能なのが分かるであろう。
【背景技術】
【０００２】
現在のディジタルテレビジョンにおいて、ディジタル化されたオーディオ／ビデオ信号（Ａ／Ｖ信号）はデータパケットのストリームとして輸送ストリームに流れ込む。マルチメディア・ホーム・プラットフォーム（ＭＨＰ）規格において、これらのパケットは各１８８バイトであり、各パケットは少なくとも１つのコンポーネント識別子を含む見出し情報を有する。典型的には、放送ディジタルテレビジョンは、複数の周波数チャネルによって伝送される複数の伝送ストリームを含み、各周波数チャネルの輸送ストリームは、パケット多重化を用いて、複数の映画、スポーツ、テレビプログラム及びそれらの類似物を伝送する。放送は、衛星送信リンク、野外放送、テレビジョンケーブル又はそれらの類似物を介して、家庭又は他の最終使用者に送信される。
【０００３】
使用者側では、受信ボックスが放送ディジタルテレビジョン信号を受信し、輸送ストリームを復元するために、選択された周波数チャネルに周波数復調し、さらに、映画、スポーツイベント、テレビプログラム又は使用者が見ること希望する他の番組に対応するデータパケットを輸送ストリームから選択する。データパケットはディジタル化されたＡ／Ｖ信号を復元するために組み合わされる。視聴のために、Ａ／Ｖ信号はディジタルテレビジョン又は他の適当な視聴装置に送信される。
【０００４】
ディジタルテレビジョンは、補助的コンテンツを含むデータパケットを輸送ストリームに多重化することによって、そして、補助的コンテンツを実行するために、マイクロプロセッサ及び他の適当な電子部品を受信ボックスに含めることによって、対話式コンテンツ、非Ａ／Ｖ情報又は他の補助的コンテンツを提供することに直ちに対応すると認識されてきた。例えば、スポーツイベントのための補助的コンテンツは、プレーヤー及びチームの統計を含んでよく、付随する適当な使用者インターフェイスフレームワークによって、例えば、ビデオ表示の上に重ね合わされた小さな統計ウインドウ又はボックスを用いて、最終使用者は統計にアクセス可能である。ＭＨＰ規格は共通のアプリケーション・プログラミング・インターフェイス（ＡＰＩ）を含む。ＡＰＩはＪａｖａ（登録商標）対応であり、対話式コンテンツを含む補助的コンテンツの開発を補助する。
【０００５】
そのような補助的コンテンツは最終使用者に役立ち得るが、ある最終使用者にとっては望ましくないかもしれない補助的コンテンツを含むことも想定される。例えば、一部の使用者は重ね合わされた統計ウインドウ又はボックスが邪魔であると感じるであろう。さらに、例えば、使用者によるコマーシャルの早送り又は省略を阻止したり或いはビデオ表示上にコマーシャルボックスを積極的に重ね合わせたりする制御ソフトウェアの形態の補助的コンテンツを含めることが想定される。
【０００６】
これらの望ましくない補助的プログラムを回避するために、一部のディジタルテレビジョン受信機は、選択された映画又はテレビプログラム等に関連する全ての補助的コンテンツを、使用者が無効にできるようにしている。しかしながら、このアプローチでは、使用者は補助的コンテンツの如何なる有益な側面をも放棄することになる。
【発明の開示】
【発明が解決しようとする課題】
【０００７】
本発明の目的は、上記及び他の制限を解決する改良された装置及び方法を提供することである。
【課題を解決するための手段】
【０００８】
本発明の１つの特徴によれば、ディジタルテレビジョンプログラム処理方法が提供されている。選択されたディジタルテレビジョンプログラムのパケットは、オーディオ／ビデオコンポーネントと、少なくとも１つの補助的コンポーネントとに選別にされる。コンポーネント識別子が、前記オーディオ／ビデオコンポーネントと、少なくとも１つの前記補助的コンポーネントとに割り当てられる。コンポーネント識別子は関連する使用者に表示される。コンポーネントの１つ又はそれ以上の選択が受信されて、番組の遂行に含められる。選択された操作が、選択されたコンポーネントを用いて実行される。
【０００９】
本発明の他の特徴によれば、ディジタルテレビジョン受信装置が開示されている。選択されたディジタルテレビジョンプログラムを、オーディオ／ビデオコンポーネントと、少なくとも１つの補助的コンポーネントとに選別するための選別手段が設けられる。コンポーネント識別子を、オーディオ／ビデオコンポーネントと、少なくとも１つの補助的コンポーネントとに割り当てるための割当手段が設けられる。コンポーネント識別子を関連する使用者に表示するための表示手段が設けられる。コンポーネントの１つ又はそれ以上の選択を受信して番組の遂行に含めるための使用者入力手段が設けられる。選択されたコンポーネントを用いて、選択された操作を実行するための実行手段が設けられる。
【００１０】
本発明の１つの利点は、記録された或いは遂行されたオーディオ／ビデオ番組コンテンツに対する使用者制御が向上している点にある。
【００１１】
本発明の他の利点は、いずれの補助的プログラムコンポーネントを実行し或いは記録するかの使用者選択が向上している点にある。
【００１２】
本発明の更なる他の利点は、不必要なコンポーネントを選択的に省略することによって、ディジタルテレビジョンオーディオ／ビデオ番組を記録するために必要な保存スペースを削減する点にある。
【００１３】
好適実施態様に関する下記の詳細な記載を読むことで、本発明の数々の追加的な利点及び利益が当業者に明らかとなるであろう。
【００１４】
本発明は、多様なコンポーネント及びコンポーネントの配置並びに多様なステップ及びステップの配列の形態を取り得る。図面は好適実施態様を例示する目的に過ぎず、本発明を限定するよう解釈されるべきではない。
【発明を実施するための最良の形態】
【００１５】
図１を参照すると、ディジタルテレビジョン放送システム１０は、周波数変調されたディジタルテレビジョン放送信号１４を生成する放送局１２を含む。放送信号１４は、指定された周波数帯域に亘る複数の周波数チャネルを含むのが典型的であり、各周波数チャネルは、テレビジョンの複数のショー、プログラム、映画又はそれらの類似物を含む輸送ストリームを伝送する。ショー、プログラム、映画等の少なくとも一部は、対話式プログラム、スポーツ統計、コマーシャル又はそれらの類似物のような関連する補助的コンテンツを含む。
【００１６】
テレビジョンのショー、プログラム、映画その他はデータパケット内に配置され、多様なショー、プログラム、映画等のデータパケットは多重化されるのが典型的である。さらに、もしショーが補助的コンテンツを含むならば、そのコンテンツに対応するパケットはオーディオ／ビデオコンポーネントと共に有利に多重化される。そのような多重化は、ショーの受信部分を視聴しながら、ショーの後半部分に対応するパケットを同時に受信することを有利に許容する。よって、最終使用者は、視聴するために、ショーの全体が送信されるのを待つ必要がない。
【００１７】
広範な放送範囲を提供するために、周波数変調されたディジタルテレビジョン放送信号１４は選択的に１つ又はそれ以上のサテライト１６によって受信されて中継放送される。最終使用者の場所、例えば、家庭で、放送信号１４はサテライト受信ボックス１８によって受信される。サテライト受信ボックス１８は幾つかのサブコンポーネントを含む。周波数復調器２２は、放送信号１４の選択された周波数を周波数復調し、テレビジョンの複数のショー、プログラム、映画又はそれらの類似物を含む輸送ストリームを復元する。
【００１８】
パケット選別器２６は輸送ストリームのパケットを選別し、選択されたショー、プログラム、映画又はその類似物のような選択されたオーディオ／ビデオ番組を抽出する。もし選択されたオーディオ／ビデオ番組が補助的コンテンツを含むならば、パケット選別器２６は、選択されたオーディオ／ビデオ番組を、オーディオ／ビデオコンポーネントと、１つ又はそれ以上の補助的コンポーネントとにさらに選別する。
【００１９】
コンポーネント識別子３０は、コンポーネント又はオーディオ／ビデオ番組の見出しパケットのコンテンツに基づいて、或いは、輸送ストリーム内に含まれている目次情報に基づいて、各コンポーネントを識別する。もしコンポーネント識別子３０が見出しパケット、目次情報又は他の情報源から意味のある識別子を決定できないならば、コンポーネントは見出し番号、即ち、「補助的コンポーネント＃１」又はその類似物によって識別されるのが好ましい。
【００２０】
電子番組表（ＥＰＧ）インターフェイス３４は、使用者インターフェイス４０と協働して、電子番組表を関連する使用者に表示する。使用者インターフェイス４０は電子管テレビジョン、フラットスクリーンテレビジョン、コンピュータモニタ又はそれらの類似物のような表示装置４２を含む。表示装置は、電子番組表の指示に従って、目次情報パケット又はそこに含まれたパケットに基づいて、輸送ストリームのオーディオ／ビデオ番組のリストを表示する。
【００２１】
使用者は、使用者インターフェイス４０の入力装置を用いて、オーディオ／ビデオ番組の１つを選択する。適切な入力装置は、例えば、手持ちテレビジョンリモートコントロール４４又はワイヤレスコンピュータキーボード４６を含む。好適なポイント＆クリック実施態様では、選定は入力装置４４，４６を用いてスクリーン上のポインタ４８を制御することによってなされる。もし使用者が補助的コンテンツを含むオーディオ／ビデオ番組を選択するならば、電子番組表３４は、表示装置４２と協働して、オーディオ／ビデオコンポーネントと１つ又はそれ以上の補助的コンポーネントとを含むオーディオ／ビデオ番組のコンポーネントを表示する。使用者は入力装置４４，４６を用いてコンポーネントを選択し、スクリーン上のポインタ４８を操作する。
【００２２】
もしオーディオ／ビデオコンポーネントが選択されて遂行されるならば、オーディオ／ビデオ（Ａ／Ｖ）プロセッサ５０が、オーディオ／ビデオコンポーネントを、表示装置４２に表示されるストリーミングビデオと、スピーカ５４で演奏されるストリーミングオーディオとにフォーマットする。スピーカはステレオ機能の付いたスピーカシステムであるのが好ましい。もし補助的コンテンツコンポーネントが選択されて遂行されるならば、Ｊａｖａ（登録商標）プロセッサ５８が、補助的コンテンツコンポーネントを実行し、選択された操作を遂行する。このような操作は、表示装置４２に表示される視覚的コンテンツの発生及び／又はスピーカ５４で演奏されるオーディオコンテンツの発生を含み得る。Ｊａｖａ（登録商標）プロセッサ５８の代わりに、他のマイクロプロセッサに基づくコンピュータを利用した装置を用い得る。
【００２３】
選択されたオーディオ／ビデオ番組の選択されたコンポーネントを遂行するのに代えて或いは同時に、使用者は、選択された補助的コンテンツコンポーネントを全く含まない或いはその一部又は全部を含む選択されたコンポーネントを、記録装置６２を用いて、非揮発性保存媒体に選択的に保存する。記憶装置６２は読込み／書込み機能を有する光学ディスク上に記憶するのが好ましい。しかしながら、コンピュータの磁気的若しくは光学的ディスク又は非揮発性電子記憶装置のような他の種類の記録装置も用い得る。記録装置６２は再生機能を含むのが好ましく、使用者インターフェイス４０上の選択的な遂行のために、記録されたオーディオ／ビデオ番組は受信ボックス１８に入力されるのが好ましい。もしオーディオ／ビデオコンテンツコンポーネント及び補助的コンテンツコンポーネントの組み合わせが記録されるならば、複数のコンポーネントが適切に多重化されることによって、記録されたオーディオ／ビデオ番組が受信ボックスに送信されている間にその番組の視聴を開始することを有利に許容する。
【００２４】
図１を参照しながら、図２をさらに参照すると、サテライト受信ボックス１８によって方法８０が遂行され、広帯域ディジタルサテライト信号１４から選択されたディジタルテレビジョンのショー、プログラム、映画又は他のオーディオ／ビデオ番組の１つ又はそれ以上のコンテンツコンポーネントを選択的に復元する。ステップ８２において、信号１４は周波数復調され、選択されたディジタルテレビジョンオーディオ／ビデオ番組を含む選択された周波数チャネルを復元する。復調ステップ８２は復調器２２によって遂行され、ディジタル多重化された信号又は輸送ストリームを生成する。ディジタル復調器２２は、復調された信号を限界付けて二進ディジタルデータを復元する二進しきい回路(binary  threshholding  circuit)を含むのが典型的である。
【００２５】
輸送ストリームは、ディジタルテレビジョンの１つ又はそれ以上のショー、プログラム、映画又はその類似物を多重放送されたディジタルデータパケットの形態で含む。ステップ８８において、復調されたディジタル多重化信号は、記録装置６２を用いて、ディスク又は他の非揮発性媒体に保存される。ステップ９０において、ディジタル多重化信号８４のパケットはパケット選別器２６によって選別され、選択されたオーディオ／ビデオ番組の１つ又はそれ以上のコンポーネントを抽出する。例示的な図２において、次の４つのコンポーネントが抽出されている。即ち、オーディオ／ビデオコンポーネント９２及び３つのアプリケーションコンポーネント９４，９６，９８である。
【００２６】
ステップ１００において、コンポーネント識別子３０は、各コンポーネント９２，９４，９６，９８の見出しパケットを読み取ってコンポーネントを識別する。例示的な図２において、次の３つのコンポーネントが識別されている。即ち、オーディオ／ビデオコンポーネント９２はゲームビデオ１０２として識別され、アプリケーション９４はプレーヤー統計アプリケーション１０４として識別され、アプリケーション９６はコマーシャル発生アプリケーション１０６として識別されている。コンポーネント識別子３０は第三のアプリケーションコンポーネント９８を識別できない。おそらく識別する見出しファイルが提供されていなかったからであり、よって、アプリケーション９８はアプリ＃３  １０８と指し示されている。方法８０において、見出しパケットがコンポーネント識別を決定するために読取られているが、放送局１２によって輸送ストリーム８４と共に選択的に提供されている目次情報を読取ることも想定される。コンポーネントを識別する他の技術も用い得る。例えば、一般に用いられるアプリケーションの識別機能の内部データベースとの比較又はアプリケーションコンポーネントＪａｖａ（登録商標）コードの識別部の読取りである。
【００２７】
図１を参照しながら、図３をさらに参照すると、方法８０と類似する方法８０'がサテライト受信ボックス１８によって遂行され、記録装置６２によってアクセスされるディスク又は他の非揮発性保存媒体上に保存される記録ディジタル多重化信号８４'のテレビジョンの１つ又はそれ以上のショー、プログラム、映画又はそれらの類似物を読み取る。信号８４'はオーディオ／ビデオ番組を含むのが典型的である。オーディオ／ビデオ番組は、補助的コンテンツコンポーネントを伴わないか、或いは、１つ又はそれ以上の補助的コンテンツコンポーネントを伴ってディジタルデータパケット内に配置されている。補助的コンテンツコンポーネントは、オーディオ／ビデオコンポーネントと共にパケット−多重化されるディジタルデータパケットとして配置されている。
【００２８】
ステップ９０'において、記録されたディジタル多重化信号８４'はパケット選別器２６によって選別され、選択されたオーディオ／ビデオ番組の１つ又はそれ以上のコンポーネントを抽出する。例示的な図３において、次の４つのコンポーネントが抽出されている。即ち、オーディオ／ビデオコンポーネント９２'及び３つのアプリケーションコンポーネント９４'，９６'，９８'である。
【００２９】
ステップ１００'において、コンポーネント識別子３０は各コンポーネント９２'，９４'，９６'，９８'の見出しパケットを読み取ってコンポーネントを識別する。例示的な図３において、次の３つのコンポーネントが識別されている。即ち、オーディオ／ビデオコンポーネント９２'はゲームビデオ１０２'として識別され、アプリケーション９４'はプレーヤー統計アプリケーション１０４'として識別され、アプリケーション９６'はコマーシャル発生アプリケーション１０６'として識別されている。コンポーネント識別子３０は第三のアプリケーションコンポーネント９８'を識別できない。おそらく識別する見出しファイルが提供されていなかったからであり、よって、アプリケーション９８'はアプリ＃３  １０８'と指し示されている。
【００３０】
図１を引き続き参照しながら、図４をさらに参照すると、オーディオ／ビデオ番組のコンポーネントを選択して実行し或いはディスクに保存する方法１２０が記述されている。ステップ１２４において、図２の例示的なコンポーネント、即ち、ゲームビデオ１０２、プレーヤー統計アプリケーション１０４、コマーシャルアプリケーション１０６及び識別されないアプリケーション１０８が、使用者初期設定パラメーターデータベース１２２と共に、電子番組表インターフェイス３４に入力される。電子番組表インターフェイスは、使用者インターフェイス４０と協働して、選択されたオーディオ／ビデオ番組の目次１２６を表示装置４２に表示する。
【００３１】
先ず、オーディオ／ビデオコンポーネント１００が、好ましくは経過時間（表示１２６では４時間３２分）と共に、目次表示１２６にインデックス付けされる。アプリケーション１０２，１０４，１０６はオーディオ／ビデオコンポーネント情報の下方にインデックス付けされている。各アプリケーションは関連する「実行／省略」選択肢を有し、使用者初期設定パラメーターデータベース１２２の内容に基づいて「実行」又は「省略」のいずれか一方に初期設定されている。例えば、全てのアプリケーションプログラムのための初期設定値は「実行」であってよく、或いは、それは「省略」であってもよい。さらに、初期設定値はオーディオ／ビデオコンポーネントのタイプに依存し得る（例えば、使用者は、統計情報を得るために、アプリケーションコンポーネントがスポーツイベントと共に使用可能であることを望むかもしれないが、他の全てのタイプのオーディオ／ビデオコンポーネントのためには使用不可能であることを望むかもしれない）。他の想定される変型において、使用者初期設定パラメーター１２２はある種の普通に直面するアプリケーションコンポーネントのための初期設定を含む。例えば、全てのコマーシャルコンポーネントのための初期設定は適切に「省略」と設定される。
【００３２】
さらに他の想定される変型において、初期設定言語パラメーター値が使用者初期設定パラメーターデータベース１２２に含まれる。スポーツイベント、映画又はそれらの類似物のために、複数の補助的コンポーネントの各々はサウンドトラック、解説者のナレーション又は他の補助的音声を英語、フランス語、ドイツ語、スペイン語又はそれらの類似物のような他の言語で提供する。初期設定言語パラメーター値に基づいて、これらの補助的音声コンポーネントの１つは「実行」の初期設定を付与されるが、他の言語で表示された他の補助的音声コンポーネントは「省略」の初期設定を付与される。使用者は異なる言語を選択する選択肢を保持する。
【００３３】
ポインタ４８又は他の使用者入力を用いて、使用者は初期設定の１つ又はそれ以上を変更することを選択的に選択する。例示的な図４において、全てのアプリケーションコンポーネントのための初期設定は「実行」であり、使用者はコマーシャルコンポーネント１０４を「省略」に変更することを選択する。目次表示１２６は＜ディスクに保存＞１３０及び＜開始＞１３２のような遂行選択肢をさらに含み、記録装置６２を用いて選択されたコンポーネントを保存することや、選択されたコンポーネントを含んだ使用者インターフェイス４０を介して遂行を開始することを各々選択する。
【００３４】
図１を引き続き参照しながら、図５をさらに参照すると、図４の方法において選択されたコンポーネントを遂行し、遂行中に選択を変更するための方法１５０が記述されている。ステップ１５２において、＜開始＞が選択される。この選択によって、オーディオ／ビデオプロセッサ５０は、表示装置４２上での表示のために使用者インターフェイスに送られるストリーミングオーディオ／ビデオ１５４をフォーマットし、Ｊａｖａ（登録商標）プロセッサ５８も、プレーヤー統計アプリケーションを実行１５６し、且つ、アプリ＃３を実行１５８する。しかしながら、使用者はコマーシャルアプリケーション１０４を省略することを選択しているため、それは実行されない。
【００３５】
選択されたコンポーネントの動作中、使用者はコンポーネントの選択を変更することを決定することもできる。例えば、例示的な図５において、使用者は、識別されないアプリ＃３  １０６がコマーシャル表示アプリケーション又は不適任なアナウンサーによる粗悪なゲーム解説のような望ましくないアプリケーションであることに気付く。それ故に、ステップ１６０において、例えば、使用者入力装置４４，４６のいずれか１つを用いることによって、使用者は中断の選択肢を選択する。
【００３６】
使用者による中断に応答して、更新された目次１６４が表示される。目次１６４は遂行の現在時刻索引（それは、表示１６４において、実行後０時間１７分に対応する０：１７である）及び各補助的コンテンツコンポーネントの状態を表示している。すなわち、プレーヤー統計は実行中、コマーシャルはオフ、そして、アプリ＃３は実行中である。目次１６４は＜継続＞１６６及び＜終了＞１６８のような適当な操作選択も与える。
【００３７】
例示の図５において、使用者はアプリ＃３の状態を実行からオフに変更することを選択し、引き続き＜継続＞１６６を選択し、さらに更新された目次表示１７４を生成する。使用者による＜継続＞の選択の直後、しかしながら、遂行はオーディオ／ビデオコンポーネントストリーミング１５４及びプレーヤー統計アプリケーションの実行１５６に限定されて継続する。もちろん、もし使用者が代わりに＜終了＞を選択するならば、遂行は終了する。
【００３８】
図１を引き続き参照しながら、再度図４を簡潔に参照し、さらに図６を参照すると、選択されたコンポーネントをディスク又は他の非揮発性保存媒体に保存するための方法１９０が記述されている。図４の＜ディスクへ保存＞の選択肢１３０は、図５の方法１９０のステップ１９２において選択される。それに応じて、更新された目次１９４が表示され、そこでは、オーディオ／ビデオ番組の各コンポーネントが「保存する／保存しない」の選択肢と共にインデックス付けされている。
【００３９】
目次１９４において、オーディオ／ビデオコンポーネント（ゲームビデオ）は「保存する／保存しない」の選択肢を有する。これが提供されているのは、対応するオーディオ／ビデオコンポーネントを保存せずに、使用者が１つ又はそれ以上の補助的コンテンツを保存することを望むことがあると想定されるからである。例えば、もし使用者が補助的コンポーネントを他のオーディオ／ビデオコンポーネントに統合するための機械を有するならば、これはなされ得よう。しかしながら、選択的に、オーディオ／ビデオコンポーネントは自動的に保存される。この場合には、そのコンポーネントのための「保存する／保存しない」の選択肢は省略されるのが好ましい。
【００４０】
使用者が目次１９４に示された選択のような適切な選択を行って、ゲームビデオ及びプレーヤー統計を保存するが、コマーシャルコンポーネント又はアプリ＃３コンポーネントは保存しない場合、使用者は＜ディスクに保存＞の選択肢１９６を選択する。これらの選択はポインタ装置４８を用いて適切になされる。それに応じて、選択されたコンポーネントがパケットに配置される。ステップ２００において、パケットはパケット多重化され、多重データパケットストリームを生成する。ステップ２０２において、多重データパケットストリームは、記録装置６２によって、光学ディスク又は他の非揮発性保存媒体に記録される。
【００４１】
多重化ステップ２００は、保存されたオーディオ／ビデオ番組を提供するように遂行されるのが好ましい。保存されたオーディオ／ビデオ番組は、ディジタル放送テレビジョン信号１４のパケット多重化された輸送ストリームに類似したフォーマットである。これによって、図３の方法８０'が、保存されたコンポーネントを、図２のリアルタイムディジタルテレビジョン放送オーディオ／ビデオ番組再生方法８０に実質的に類似した方法で復元するのが有利に許容される。多重化フォーマットは、オーディオ／ビデオ番組の遂行が、保存されたデータパケットの再生と部分的に重複することを有益に許容する。しかしながら、多重化ステップ２００を省略し、選択されたコンポーネントを連続的に或いは他の非多重化フォーマットで保存することも想定される。
【００４２】
図７を参照すると、方法２１０がサテライト受信ボックス１８及び記録装置６２によって選択的に実行され、オーディオ／ビデオ番組の１つ、幾つか或いは全てのコンポーネントを選択的に削除するのが好ましい。方法２１０は、例えば、選択的なコンポーネント記録能力を有さない他のシステムで生成されたディジタル記録から望ましくないコンポーネントを除去するために適切に選択される。
【００４３】
ステップ２１２において、プログラムを削除する選択がなされ、それは更新された目次を呼び出す。目次は例示的なゲームビデオ番組のコンポーネントをインデックス付けしている。各コンポーネントは「保持／削除」の選択肢を含む。ゲームビデオ及びプレーヤー統計の選択肢は「保持」として表示されており、こられが削除されるべきではないことを意味する。これに対し、コマーシャル及びアプリ＃３の選択肢は「削除」として表示されており、これらのコンポーネントが削除されるべきことを示している。使用者はポインタ４８を用いて削除のための選択を適切に更新する。＜削除アイテム＞の選択肢２１６が使用者によって選択される（代替的に、使用者は＜取り消し＞の選択肢２１６を選択し、いかなるコンポーネントも削除せずに目次を終了することができる）。＜削除アイテム＞の選択肢２１６の選択に応じて、ステップ２２０において、記録装置６２は選択されたコンポーネントに対応するデータパケットを削除する。選択的に、データパケットは物理的に削除されず、むしろ選択されたコンポーネントに対応するディスクのセクタ又は他の割当てユニットが未使用及び利用可能として印される。
【図面の簡単な説明】
【００４４】
【図１】選択的なオーディオ／ビデオ番組コンポーネントの遂行及び記録能力を含む例示的なディジタルテレビジョン放送システムを示す概略図である。
【図２】放送ディジタルサテライト信号からの選択されたオーディオ／ビデオ番組の１つ又はそれ以上のコンテンツコンポーネントを選択的に復元するための方法を示すフローチャートである。
【図３】記録されたオーディオ／ビデオの１つ又はそれ以上のコンテンツコンポーネントに選択的にアクセスするための方法を示すフローチャートである。
【図４】オーディオ／ビデオ番組のいずれのコンテンツコンポーネントを遂行に含めるかを使用者が選択可能な方法を示すフローチャートである。
【図５】実行中のオーディオ／ビデオ番組の遂行に含めるために、コンテンツコンポーネントの選択肢を使用者が更新可能にするための方法を示すフローチャートである。
【図６】オーディオ／ビデオ番組のいずれのコンテンツコンポーネントをその記録に含めるかを使用者が選択可能な方法を示すフローチャートである。
【図７】記録されたディジタルオーディオ／ビデオ番組の選択されたコンテンツコンポーネントを使用者が除外又は削除可能な方法を示すフローチャートである。
【図１】
2006503468.tif 000003
【図２】
2006503468.tif 000004
【図３】
2006503468.tif 000005
【図４】
2006503468.tif 000006
【図５】
2006503468.tif 000007
【図６】
2006503468.tif 000008
【図７】
2006503468.tif 000009
【国際調査報告】
2006503468.tif 000010
2006503468.tif 000011
2006503468.tif 000012
2006503468.tif 000013
2006503468.tif 000014